(57)【要約】【課題】本発明は断熱効果の高い発泡ポリスチレンを素材とする発泡ポリスチレン製の分割式温水マットに関し，さらに詳しくは，この温水マットを小さな区画プレートに分割できる集合プレートにて形成し、この集合プレートを複数組連続させるか、必要に応じてこの集合プレートを区画プレートに小さく分割し、その分割された区画プレートを前記集合プレートと自由に組み合わせることにより、温水マットを敷設する床面に隙間のない状態できれいに効率的に敷設できるようにした分割式温水マットに関する。【解決手段】発泡ポリスチレン製の温水マットを平面矩形状の板状体に形成し、この温水マットを小さな区画プレートに分割できる集合プレートにて形成し、この集合プレートの表面には温水パイプを収納するためのパイプ溝を削成したことを特徴とする分割式温水マットである。【選択図】　図１
2004125372.tif 000002
【特許請求の範囲】
【請求項１】
発泡ポリスチレン製の温水マットを平面矩形状の板状体に形成し、この温水マットを小さな区画プレートに分割できる集合プレートにて形成し、この集合プレートの表面には温水パイプを収納するためのパイプ溝を削成したことを特徴とする分割式温水マット。
【請求項２】
集合プレートの表面に集合プレートの各辺を二等分する十文字状の分割線を形成し、この分割線で区画される各区画部を区画プレートとしたことを特徴とする請求項１記載の分割式温水マット。
【請求項３】
集合プレートの表面に削成されるパイプ溝は、集合プレート全体の平面に略Ｕ字型に削成され、各区画プレートには直線型パイプ溝又は円弧型パイプ溝のいずれかが削成されていることを特徴とする請求項１又は２記載の分割式温水マット。
【請求項４】
前記パイプ溝の縁部付近に、パイプ溝に収納された温水パイプを安定保持するための保持部材が取り付けられていることを特徴とする請求項１乃至３の何れかに記載の分割式温水マット。
【発明の詳細な説明】
【０００１】
【発明の属する技術分野】
本発明は断熱効果の高い発泡ポリスチレンを素材とする発泡ポリスチレン製の分割式温水マットに関し，さらに詳しくは，この温水マットを小さな区画プレートに分割できる集合プレートにて形成し、この集合プレートを複数組連続させるか、必要に応じてこの集合プレートを区画プレートに小さく分割し、その分割された区画プレートを前記集合プレートと自由に組み合わせることにより、温水マットを敷設する床面に隙間のない状態できれいに効率的に敷設できるようにした分割式温水マットに関する。
【０００２】
【従来の技術】
近年，生活様式の西洋化に伴い，マンション，住宅等の床構造は，床部材の上面に床面仕上材を積層させる構造が多く採用されるようになった。さらにこの床構造を採用する場合には、床構造の内部に床暖房用の温水配管を配設したいという要請も多くなり、この要請に応えるために，温水パイプを備えた温水マットが出現し、これが前記床部材と床面仕上材の間に敷設されるようになってきた。
【０００３】
ここで温水マットを、床部材と床面仕上材の間に敷設する手順としては、マンション，住宅等の敷設対象となる床面の面積，平面形状から割り出された数種類の大きさの温水マットをやや多めに用意し，実際の現場の床面に合わせて用意した温水マットを適宜組み合わせて，目的箇所に温水マットを敷設していた。
この温水マットを大き目の一枚ものとして製造することもあるが、この場合には、一枚の温水マットを敷設対象となる床面に敷設することで、上記の目的を達成していた。
【０００４】
【発明が解決しようとする課題】
上述したように、事前に大きさの異なる数種類の温水マットを用意し，敷設対象となる床面に合わせて、その温水マットを組み合わせるときには，床面の平面形状ごとに何種類もの温水マットを準備しておかなければならず、このため温水マットの敷設業者は使用頻度の高低にかかわらず、全種類の大きさの温水マットの在庫を抱えることになり，多額の保管費用と広い保管場所が必要になっていた。
【０００５】
また，複数の大きさの異なる温水マットを組み合わせて、温水マットを床面に敷設した場合には，各温水マットのパイプ溝に収納された温水パイプに湯を流動させることになるが、温水パイプ中を循環する温水の湯温，放熱量，温度分布が均一となるように，温水の流量及び温度を専門家の手により複雑な算式によって算出し，温水流量などを調整する必要があった。
【０００６】
一方、複数の温水マットを準備せず、一枚の温水マットで対処しようとする場合には、敷設対象となる床面の大きさや平面形状を自由に設計することができないという問題があった。
【０００７】
そのうえ，温水パイプを各温水マットに削成したパイプ溝に、その形状に合わせて収納した際に、収納された温水パイプがパイプ溝から簡単に脱出してしまうという問題も発生していた。
本発明は，上記のすべての問題を解消することができる、分割式温水マットを提供せんとするものである。
【０００８】
【課題を解決するための手段】
本発明の請求項１は，発泡ポリスチレン製の温水マットを平面矩形状の板状体に形成し、この温水マットを小さな区画プレートに分割できる集合プレートにて形成し、この集合プレートの表面には温水パイプを収納するためのパイプ溝を削成したことを特徴とする分割式温水マットである。
【０００９】
請求項１記載のように，本発明は，集合プレートにて形成される温水マットを自由に分割して、該温水マットを２分の１の大きさの区画プレート，または４分の１の大きさの区画プレートなどに適宜分割することが可能となる。
【００１０】
そのため，床面の平面形状，面積に合わせ，その床面の周辺部に柱などの張り出し変形部などがあっても、任意に集合プレートからなる温水マットを区画プレートに分割し，いくつかの集合プレートといくつかの区画プレートとを自由に組み合わせて敷設すると、敷設対象となる床面に隙間のない状態できれいに効率的に温水マットを敷設できるようになる。その結果，温水マットを取り扱う業者は，一種類の集合プレートからなる温水マットのみを在庫として保管しておくだけで，何種類もの大きさの異なる温水マットを保管，管理する必要はなくなり，温水マットの保管スペースの節約が図られ，在庫と保管費用を低減できることとなる。
【００１１】
また温水マットを敷設する床面がきれいな四角形ではなく、柱などが途中で張り出した凹凸平面形状のものであっても、その凹凸部には、その部分にぴったりの区画プレートをあてがうことができ、これにより床面に隙間のない状態できれいに効率的に温水マットを敷設できるようになる。
【００１２】
ついで請求項２の発明は、集合プレートの表面に集合プレートの各辺を二等分する十文字状の分割線を形成し、この分割線で区画される各区画部を区画プレートとしたことを特徴とする請求項１記載の分割式温水マットである。
【００１３】
また請求項３の発明は、集合プレートの表面に削成されるパイプ溝は、集合プレート全体の平面に略Ｕ字型に削成され、各区画プレートには直線型パイプ溝又は円弧型パイプ溝のいずれかが削成されていることを特徴とする請求項１又は２記載の分割式温水マットである。
【００１４】
請求項２及び３の発明により、請求項１で述べた目的達成がさらに確実に行えるようになる。
すなわち、温水マットの集合プレートを分割しない場合にＵ字型のパイプ溝として使用することが可能であるほかに、分割線に沿って集合プレートを区画プレートに分割し、各区画プレートを任意に選択して組み合わせることにより、半円弧型のパイプ溝、４分の１円弧型のパイプ溝，４分の１円弧型と直線型が組み合わされたパイプ溝，直線型部分だけのパイプ溝として、バラエティに富んだ温水マットとして使用することが可能になる。
【００１５】
その結果，分割した区画プレートを、各区画プレートに削成されたパイプ溝が連続するように組み合わることによって，Ｕ字型のパイプ溝，Ｓ字型のパイプ溝，円弧型のパイプ溝、直線型のパイプ溝を自由自在に形成でき、目的の床面に自由に温水パイプを敷設できるようになる。
そのため，温水マットを床面に敷設するにあたって，特別の設計が不要となり，設計者は，温水マットの平面形状にとらわれることなく、任意の平面形状の床面を設計することが可能となる。
【００１６】
また，温水マットを区画プレートに分割し，パイプ溝が連続するように組み合わせることにより，１本のパイプで床面全体に温水を流動させることができるようになる。そのため，床面全体の放熱量，温度分布が均一になるように，温水流量を算出し，調整することが容易となり，敷設作業の効率が向上する。
【００１７】
さらに請求項４記載の発明は、前記パイプ溝の縁部付近に、パイプ溝に収納された温水パイプを安定保持するための保持部材が取り付けられていることを特徴とする請求項１乃至３の何れかに記載の分割式温水マットである。
【００１８】
請求項４の発明のように，パイプ溝の縁部付近に保持部材を取り付けることにより、一旦パイプ溝内に収納された温水パイプは、その収納状態を安定保持することとなり、不用意な脱出を防止することができる。
【００１９】
【発明の実施の形態】
以下，本発明の実施の形態を図面に基づいて説明するが，本発明の内容はこの範囲に限られるものではない。
【００２０】
図１は、温水マットを形成する集合プレートに温水パイプを収納した状態の斜視図であり、図２は集合プレートを分割して、４個の区画プレートとした状態の斜視図であり、図３はひとつの区画プレートに温水パイプを収納した状態の縦断面図である。
また図４は、集合プレートと区画プレートを任意に組み合わせて、温水マットを敷設した状態の平面図であり、図５及び図６は同他の組み合わせ状態を示す平面図である。
【００２１】
図１に示すように、温水マット１は平面矩形状（正方形、長方形など）の板状体で構成され、断熱効果に優れた発泡ポリスチレン製であり、全体は集合プレート２により形成されている。この集合プレート２の各辺２ａ、２ｂを二等分する状態で、集合プレート２に分割線４が十文字状に形成されている。
【００２２】
平常時は、集合プレート２はひとまとまりの状態を保持するものであるが、その分割線４に沿って少々力をかけることで、集合プレート２は分割線４の位置でばらばらに分解して区画プレート３に分かれるようになっている（図１の状態から、図２の状態となる）。
この十文字状の分割線４の位置で集合プレート２を分割することによって、例えば、温水マット１は元の大きさの４分の１の大きさの区画プレート３に分かれる。
【００２３】
さらに、集合プレート２の表面には温水パイプ６を埋設する状態で収納できるパイプ溝５が削成されている。通常、パイプ溝５の断面形状は、温水パイプ６を収納しやすくするために断面半円形状又は断面Ｕ字状を呈する。
【００２４】
また、このパイプ溝５を集合プレート２上の平面形状で観察すると、図１に示すように略Ｕ字型に形成されている。
このような状態のパイプ溝５は、集合プレート２が分解されて区画プレート３に分かれた図２に示す状態において、各区画プレート３上で円弧型部５ａとなったり、直線型部５ｂとなったりする。
【００２５】
次いで本発明のパイプ溝５の縁部付近には、パイプ溝５に収納された温水パイプ６を安定保持するための保持部材７が取り付けられている。この保持部材７の一例としては、ゴム製部材、木製部材、樹脂製部材、金属製部材などで形成される突起片が好適であり、その大きさや硬度は温水パイプ６の抜け止め効果を発揮するものであれば十分であり、パイプ溝５に温水パイプ６を挿入する際の障害とならない程度の条件を備えることが条件となる。また保持部材７を集合プレート２に取り付ける手段は特に限定されない。
【００２６】
図４乃至図６は、温水マット１を区画プレート３に分割し，各区画プレート３に削成されたパイプ溝５が連続するように、集合プレート２や区画プレート３を組み合わせた状態の平面図であるが、その組み合わせ方法は自由に工夫を加えることが許される。
【００２７】
４分の１円弧型に削成されたパイプ溝５ａを有する区画プレート３と、直線型に削成されたパイプ溝５ｂを有する区画プレート３とを任意に組み合わせることによって，さらに集合プレート２を組み合わせたりして、同じ平面形状の床面であっても，パイプ溝５の平面形状が図４乃至図６に示すような一筆書き状の連続線に形成され、このパイプ溝５内に温水パイプ６を収納することで、温水パイプ６の配置の形状を自由に変えることができることとなる。
【００２８】
上述の手順で温水パイプ６が効率的に目的の床面に配設される結果、その温水パイプ６内にて気温の温水を、適量流すことで好適な床暖房の効果が得られるようになる。
【００２９】
【発明の効果】
上記の構成にかかる本発明によれば，温水マット，温水パイプを，いかなる平面形状，面積の床面に対しても、何らの問題もなく隙間なくきれいに敷設することができるという優れた効果が達成できる。
【００３０】
また床面の平面形状，面積に合わせた複数の種類の温水マットを保管することが不要になり，敷設業者は必要以上に温水マットの保管スペース，保管費用を確保する必要がなくなるため，保管スペースと保管費用を低減できるという効果がある。さらに温水パイプを温水マットのパイプ溝に収納する作業は固定部材の存在により効率的に行え、その収納状態は安定的なものになるなどの優れた効果がある。
【図面の簡単な説明】
【図１】温水マットを形成する集合プレートに温水パイプを収納した状態の斜視図である。
【図２】集合プレートを分割して、４個の区画プレートとした状態の斜視図である。
【図３】ひとつの区画プレートに温水パイプを収納した状態の縦断面図である。
【図４】集合プレートと区画プレートを任意に組み合わせて、温水マットを敷設した状態の平面図である。
【図５】同他の組み合わせ状態を示す平面図である。
【図６】同他の組み合わせ状態を示す平面図である。
【符号の説明】
１…温水マット
２…集合プレート
２ａ、２ｂ…集合プレートの各辺
３…区画プレート
４…分割線
５ａ…パイプ溝の円弧型部
５ｂ…パイプ溝の直線型部
６…温水パイプ
７…保持部材
【図１】
2004125372.tif 000003
【図２】
2004125372.tif 000004
【図３】
2004125372.tif 000005
【図４】
2004125372.tif 000006
【図５】
2004125372.tif 000007
【図６】
2004125372.tif 000008